(57)【要約】【課題】複数の証憑を、業務に関係する証憑と業務とは無関係な証憑とに仕訳けた結果を得ることができる、情報処理装置、プログラム、及び情報処理システムを提供する。【解決手段】複数の証憑の各々から、証憑の画像を表す画像情報及び仕訳に用いる仕訳要素を表す仕訳要素情報を取得する取得手段と、複数の証憑のうち予め定めた仕訳要素を有する証憑を、業務に関係する証憑と認定し、複数の証憑を、業務に関係する証憑と業務とは無関係な証憑とに仕訳する仕訳手段と、仕訳手段による仕訳結果を表す第１の画面を表示するように表示手段を制御する表示制御手段と、を備えた情報処理装置とする。【選択図】図４
2020017140.tif 000002
【特許請求の範囲】
【請求項１】
複数の証憑の各々から、証憑の画像を表す画像情報及び仕訳に用いる仕訳要素を表す仕訳要素情報を取得する取得手段と、
前記複数の証憑のうち予め定めた仕訳要素を有する証憑を、業務に関係する証憑と認定し、前記複数の証憑を、前記業務に関係する証憑と業務とは無関係な証憑とに仕訳する仕訳手段と、
前記仕訳手段による仕訳結果を表す第１の画面を表示するように表示手段を制御する表示制御手段と、
を備えた情報処理装置。
【請求項２】
前記仕訳要素が、日時、場所、及び取引内容の少なくとも１つの要素であり、
前記予め定めた仕訳要素が、利用者の業務予定に関する要素、及び、利用者の過去の申請に関する要素の少なくとも一方である、
請求項１に記載の情報処理装置。
【請求項３】
前記表示制御手段は、前記業務に関係する証憑の全部または一部について、証憑の画像情報を登録するための第２の画面を表示するように表示手段を制御する、
請求項１または請求項２に記載の情報処理装置。
【請求項４】
前記第２の画面は、登録の対象となる前記業務に関係する証憑の画像及び仕訳要素情報の少なくとも一方を含む、
請求項３に記載の情報処理装置。
【請求項５】
前記第１の画面では、前記業務に関係する証憑の画像が第１の領域に表示され、前記業務とは無関係な証憑の画像が前記第１の領域とは異なる第２の領域に表示され、
前記第２の領域に表示された画像が前記第１の領域に移動されると、移動された画像に係る証憑の仕訳結果が、前記業務とは無関係な証憑から前記業務に関係する証憑へと変更される、
請求項１から請求項４までのいずれか１項に記載の情報処理装置。
【請求項６】
前記複数の証憑の各々から取得された前記仕訳要素情報に基づいて、前記業務に関係する証憑を複数のグループに分割する分割手段を更に備え、
前記表示制御手段は、前記業務に関係する証憑の画像が前記複数のグループに分けて表示されるように、前記表示手段を制御する、
請求項１から請求項５までのいずれか１項に記載の情報処理装置。
【請求項７】
前記分割手段は、前記複数のグループの個数がより少なくなる仕訳要素について、前記業務に関係する証憑を複数のグループに分割する、請求項６に記載の情報処理装置。
【請求項８】
前記分割手段は、利用者が選択した仕訳要素に基づいて、前記業務に関係する証憑を複数のグループに分割する、請求項６に記載の情報処理装置。
【請求項９】
コンピュータを、
複数の証憑の各々から、証憑の画像を表す画像情報及び仕訳に用いる仕訳要素を表す仕訳要素情報を取得する取得手段、
前記複数の証憑のうち予め定めた仕訳要素を有する証憑を、業務に関係する証憑と認定し、前記複数の証憑を、前記業務に関係する証憑と業務とは無関係な証憑とに仕訳する仕訳手段、
前記仕訳手段による仕訳結果を表す第１の画面を表示するように表示手段を制御する表示制御手段、
として機能させるためのプログラム。
【請求項１０】
表示手段を備えた端末装置と、
証憑の画像情報を登録する登録手段と、
請求項１から請求項８までのいずれか１項に記載の情報処理装置であって、前記端末装置からの指示に応じて、前記業務に関係する証憑の全部または一部の画像情報の登録を前記登録手段に要求する情報処理装置と、
を備えた情報処理システム。
【発明の詳細な説明】
【技術分野】
【０００１】
本発明は、情報処理装置、プログラム、及び情報処理システムに関する。
【背景技術】
【０００２】
特許文献１には、クラウドコンピューティングによる証憑の仕訳解析サービスを提供する仕訳解析センターシステムであって、前記証憑の仕訳処理に用いる全ユーザ共用のマスタが格納された仕訳アドバイザーデータベースと、仕訳アドバイザーデータベースを用いて前記仕訳解析サービスの処理を実行する仕訳解析サーバと、を備え、前記仕訳アドバイザーデータベースは、全ユーザ共用のマスタとして、商品名と商品グループとを対応付けて記憶する第１マスタと、前記商品グループと勘定科目とを１対としてその対での仕訳パターンを対毎に記憶すると共に、前記仕訳パターンによる仕訳処理人数を全ユーザの使用情報として前記対毎に記録する第２マスタと、を含み、前記仕訳解析サーバは、前記仕訳解析サービスを要求するユーザのＷｅｂ端末から送信された前記証憑の電子データをリアルタイムに解析して前記証憑に示される取引の仕訳に必要な仕訳要素情報を抽出する仕訳要素抽出手段と、前記抽出された仕訳要素情報に含まれる商品名に対応する商品グループを前記第１マスタから得て、その商品グループに対応する前記第２マスタ内の勘定科目の中で全ユーザの使用人数が一番多い勘定科目を借方勘定科目の推奨科目として前記全ユーザの使用情報に基づき選択して仕訳を自動的に生成し、その仕訳を推奨仕訳として示す仕訳参照画面を前記仕訳解析サービスの要求元Ｗｅｂ端末の表示部に提示すると共に、前記第２マスタ内の当該仕訳パターンによる仕訳処理人数を更新する推奨仕訳提示手段と、を有することを特徴とする仕訳解析センターシステムが開示されている。
【０００３】
特許文献２には、自動仕訳を行う会計処理装置であって、証憑の画像データから少なくとも日付、取引先、金額、摘要、及び前記証憑の少なくとも大きさ、色を含む外観を含む仕訳要素を抽出する画像解析部と、予め機械学習により前記仕訳要素に対応した勘定科目を選定することを学習した仕訳ＡＩによって、前記画像解析部により抽出された仕訳要素に対する勘定科目を選定した仕訳データを生成する仕訳判定部と、を備える会計処理装置が開示されている。
【０００４】
特許文献３には、仕訳対象として入力された明細データの内容と、既に仕訳済みの明細データ自体の内容とを照合し、あらかじめ設定された判定項目の内容が一致するか否かを判定する照合部と、上記照合部により上記判定項目の内容が一致すると判定された場合、上記仕訳対象として入力された明細データの取引に対し、上記既に仕訳済みの明細データの取引に設定されている勘定科目と同じ勘定科目を設定する自動仕訳部とを備えたことを特徴とする取引明細の自動仕訳装置が開示されている。
【先行技術文献】
【特許文献】
【０００５】
【特許文献１】特開２０１４−２３５４８４公報
【特許文献２】特許６１６５９５７号公報
【特許文献３】特許６２４７４１３号公報
【発明の概要】
【発明が解決しようとする課題】
【０００６】
従来、業務に関係する証憑か、業務とは無関係な証憑かは、利用者が判断し、電子申請に添付する証憑から、業務とは無関係な証憑を除いておく必要があった。
本発明の目的は、複数の証憑を、業務に関係する証憑と業務とは無関係な証憑とに仕訳けた結果を得ることができる、情報処理装置、プログラム、及び情報処理システムを提供することにある。
【課題を解決するための手段】
【０００７】
請求項１に記載の発明は、複数の証憑の各々から、証憑の画像を表す画像情報及び仕訳に用いる仕訳要素を表す仕訳要素情報を取得する取得手段と、前記複数の証憑のうち予め定めた仕訳要素を有する証憑を、業務に関係する証憑と認定し、前記複数の証憑を、前記業務に関係する証憑と業務とは無関係な証憑とに仕訳する仕訳手段と、前記仕訳手段による仕訳結果を表す第１の画面を表示するように表示手段を制御する表示制御手段と、を備えた情報処理装置である。
【０００８】
請求項２に記載の発明は、前記仕訳要素が、日時、場所、及び取引内容の少なくとも１つの要素であり、前記予め定めた仕訳要素が、利用者の業務予定に関する要素、及び、利用者の過去の申請に関する要素の少なくとも一方である、請求項１に記載の情報処理装置である。
【０００９】
請求項３に記載の発明は、前記表示制御手段は、前記業務に関係する証憑の全部または一部について、証憑の画像情報を登録するための第２の画面を表示するように表示手段を制御する、請求項１または請求項２に記載の情報処理装置である。
【００１０】
請求項４に記載の発明は、前記第２の画面は、登録の対象となる前記業務に関係する証憑の画像及び仕訳要素情報の少なくとも一方を含む、請求項３に記載の情報処理装置である。
【００１１】
請求項５に記載の発明は、前記第１の画面では、前記業務に関係する証憑の画像が第１の領域に表示され、前記業務とは無関係な証憑の画像が前記第１の領域とは異なる第２の領域に表示され、前記第２の領域に表示された画像が前記第１の領域に移動されると、移動された画像に係る証憑の仕訳結果が、前記業務とは無関係な証憑から前記業務に関係する証憑へと変更される、請求項１から請求項４までのいずれか１項に記載の情報処理装置である。
【００１２】
請求項６に記載の発明は、前記複数の証憑の各々から取得された前記仕訳要素情報に基づいて、前記業務に関係する証憑を複数のグループに分割する分割手段を更に備え、前記表示制御手段は、前記業務に関係する証憑の画像が前記複数のグループに分けて表示されるように、前記表示手段を制御する、請求項１から請求項５までのいずれか１項に記載の情報処理装置である。
【００１３】
請求項７に記載の発明は、前記分割手段は、前記複数のグループの個数がより少なくなる仕訳要素について、前記業務に関係する証憑を複数のグループに分割する、請求項６に記載の情報処理装置である。
【００１４】
請求項８に記載の発明は、前記分割手段は、利用者が選択した仕訳要素に基づいて、前記業務に関係する証憑を複数のグループに分割する、請求項６に記載の情報処理装置である。
【００１５】
請求項９に記載の発明は、コンピュータを、複数の証憑の各々から、証憑の画像を表す画像情報及び仕訳に用いる仕訳要素を表す仕訳要素情報を取得する取得手段、前記複数の証憑のうち予め定めた仕訳要素を有する証憑を、業務に関係する証憑と認定し、前記複数の証憑を、前記業務に関係する証憑と業務とは無関係な証憑とに仕訳する仕訳手段、前記仕訳手段による仕訳結果を表す第１の画面を表示するように表示手段を制御する表示制御手段、として機能させるためのプログラムである。
【００１６】
請求項１０に記載の発明は、表示手段を備えた端末装置と、証憑の画像情報を登録する登録手段と、請求項１から請求項８までのいずれか１項に記載の情報処理装置であって、前記端末装置からの指示に応じて、前記業務に関係する証憑の全部または一部の画像情報の登録を前記登録手段に要求する情報処理装置と、を備えた情報処理システムである。
【発明の効果】
【００１７】
請求項１、９、１０に記載の発明によれば、複数の証憑を、業務に関係する証憑と業務とは無関係な証憑とに仕訳けた結果を得ることができる。
【００１８】
請求項２に記載の発明によれば、利用者の業務予定や過去の申請と照らし合わせて、業務に関係する証憑を認定することができる。
【００１９】
請求項３に記載の発明によれば、証憑の画像の登録に進むことができる。
【００２０】
請求項４に記載の発明によれば、どの業務に関係する証憑かが分かる。
【００２１】
請求項５に記載の発明によれば、仕訳の誤りは、後から修正することができる。
【００２２】
請求項６に記載の発明によれば、業務に関係する証憑の画像を、グループ毎に登録することができる。
【００２３】
請求項７に記載の発明によれば、業務に関係する証憑を、最適なグループに分けることができる。
【００２４】
請求項８に記載の発明によれば、業務に関係する証憑を、利用者が処理しやすい単位に分けることができる。
【図面の簡単な説明】
【００２５】
【図１】本発明の実施の形態に係る証憑登録システムの構成の一例を示す概略図である。
【図２】端末装置の電気的構成の一例を示すブロック図である。
【図３】登録サーバの電気的構成の一例を示すブロック図である。
【図４】証憑登録の全体的な処理の手順の一例を示すシーケンス図である。
【図５】証憑の読取画像の一例を示す図である。
【図６】読取画像から切り出された証憑画像の一例を示す図である。
【図７】証憑画像から抽出された仕訳要素情報の一例を示す図表である。
【図８】登録サーバの機能ブロック図である。
【図９】「仕訳後登録処理」の処理の流れの一例を示すフローチャートである。
【図１０】「仕訳処理」の処理の流れの一例を示すフローチャートである。
【図１１】勤務時間に応じた仕訳例を示す模式図である。
【図１２】勤務場所に応じた仕訳例を示す模式図である。
【図１３】過去の申請に応じた仕訳例を示す模式図である。
【図１４】仕訳結果の一例を示す模式図である。
【図１５】「グループ化処理」の処理の流れの一例を示すフローチャートである。
【図１６】第１の実施の形態に係る選択画面の一例を示す模式図である。
【図１７】第１の実施の形態に係る選択画面の一例を示す模式図である。
【図１８】「登録処理」の処理の流れの一例を示すフローチャートである。
【図１９】登録確認画面の一例を示す模式図である。
【図２０】第２の実施の形態に係る選択画面の一例を示す模式図である。
【図２１】選択画面での仕訳結果の訂正例を示す模式図である。
【図２２】選択画面での仕訳結果の訂正例を示す模式図である。
【図２３】第２の実施の形態に係る選択画面の他の一例を示す模式図である。
【図２４】第２の実施の形態に係る選択画面の更に他の一例を示す模式図である。
【図２５】第２の実施の形態に係る選択画面の変形例を示す模式図である。
【発明を実施するための形態】
【００２６】
以下、図面を参照して本発明の実施の形態の一例を詳細に説明する。
【００２７】
＜第１の実施の形態＞
（情報処理システム）
まず、情報処理システムについて説明する。
図１は本発明の実施の形態に係る情報処理システムの構成の一例を示す概略図である。図１に示すように、情報処理システム１０は、登録サーバ１２、端末装置１４、読取装置１５、経費申請システム１６、及び勤怠管理システム１８を備えている。各部は、インターネットやＬＡＮ等の有線又は無線の通信回線１９を介して相互に通信可能に接続されている。なお、図１では端末装置１４及び読取装置１５を各々１個ずつ図示するが、端末装置１４及び読取装置１５の各々は、複数配置されていてもよい。
【００２８】
登録サーバ１２は、「仕訳後登録サービス」を提供する情報処理装置である。仕訳後登録サービスは、複数の証憑を仕訳けた後に、経費申請システム１６に対し証憑の画像を表す証憑画像情報の登録を要求するサービスである。ここで「証憑」とは、取引の内容を示す証拠資料のことをいう。証憑としては、例えば、領収書、請求書、納品書、注文書、見積書、預金通帳、小切手帳、売上伝票、レシートなどが挙げられる。
【００２９】
端末装置１４は、利用者が使用する端末装置である。読取装置１５は、カメラやスキャナを備えた電子機器等、画像を読み取って画像情報を取得する装置である。例えば、スキャナを備えた画像形成装置でもよい。本実施の形態では、読取装置１５は、複数の証憑の画像を読み取って読取画像（図５参照）を表す読取画像情報を取得する。
【００３０】
経費申請システム１６は、経費精算サービスを提供するシステムである。経費精算サービスは、出張旅費、交通費等の業務に関係する費用を経費として精算するためのサービスである。電子帳簿保存法では、証憑画像情報を用いて経費の申請を行うことが認められている。経費申請システム１６では、経費の申請に用いる証憑画像情報の登録を受け付けている。また、経費申請システム１６は、利用者の過去の申請に関する情報（以下、「履歴情報」という。）を、図示しない記憶装置に保持している。
【００３１】
勤怠管理システム１８は、利用者の勤怠を管理する情報処理システムである。勤怠管理システム１８は、勤務時間や業務スケジュール等、利用者の業務予定に関する情報（以下、「勤怠情報」という。）を、図示しない記憶装置に保持している。
【００３２】
本実施の形態では、端末装置１４には「仕訳後登録サービス」を利用するためのアプリケーション・プログラム（以下、「仕訳後登録アプリ」という。）やブラウザがインストールされている。利用者は、仕訳後登録アプリを起動し、端末装置１４を登録サーバ１２に接続して、仕訳後登録サービスを利用する。
【００３３】
また、本実施の形態では、登録サーバ１２が「情報処理装置」の一例であり、経費申請システム１６が「登録手段」の一例である。情報処理システム１０は、登録サーバ１２、端末装置１４、及び経費申請システム１６を少なくとも備えていればよい。例えば、読取装置１５及び勤怠管理システム１８は省略してもよい。
【００３４】
次に、端末装置について説明する。
図２は端末装置の電気的構成の一例を示すブロック図である。図２に示すように、端末装置１４は、情報処理部２０を備えている。情報処理部２０は、装置全体の制御及び各種演算を行うコンピュータとして構成されている。
【００３５】
具体的には、情報処理部２０は、ＣＰＵ２０Ａ、各種プログラムを記憶したＲＯＭ２０Ｂ、プログラムの実行時にワークエリアとして使用されるＲＡＭ２０Ｃ、各種データを記憶する不揮発性のメモリ２０Ｄ、及び入出力インターフェース（Ｉ／Ｏ）２０Ｅを備えている。ＣＰＵ２０Ａ、ＲＯＭ２０Ｂ、ＲＡＭ２０Ｃ、メモリ２０Ｄ、及びＩ／Ｏ２０Ｅの各々は、バス２０Ｆを介して接続されている。
【００３６】
なお、各種プログラムや各種データは、他の記憶装置に記憶されていてもよく、ＣＤ−ＲＯＭ等の記録媒体に記録されていてもよい。また、各種プログラムや各種データは、通信を介して取得されてもよい。
【００３７】
Ｉ／Ｏ２０Ｅには、操作部２２、表示部２４、通信部２６、及び記憶部２８が接続されている。操作部２２は、利用者からの操作を受け付ける。表示部２４は、利用者に対し各種情報を表示する。通信部２６は、外部装置と通信を行うためのインターフェースである。記憶部２８は、ハードディスク等の外部記憶装置である。情報処理部２０は、各部との間で情報の授受を行って、各部を制御する。
【００３８】
次に、登録サーバのハードウェア構成について説明する。
図３は登録サーバの電気的構成の一例を示すブロック図である。図３に示すように、登録サーバ１２は、情報処理部３０を備えている。情報処理部３０は、装置全体の制御及び各種演算を行うコンピュータとして構成されている。端末装置１４及び登録サーバ１２は、いずれも情報処理装置として機能するが、登録サーバ１２が本発明の「情報処理装置」の一例である。
【００３９】
情報処理部３０は、ＣＰＵ３０Ａ、各種プログラムを記憶したＲＯＭ３０Ｂ、プログラムの実行時にワークエリアとして使用されるＲＡＭ３０Ｃ、各種データを記憶する不揮発性のメモリ３０Ｄ、及び入出力インターフェース（Ｉ／Ｏ）３０Ｅを備えている。ＣＰＵ３０Ａ、ＲＯＭ３０Ｂ、ＲＡＭ３０Ｃ、メモリ３０Ｄ、及びＩ／Ｏ３０Ｅの各々は、バス３０Ｆを介して接続されている。
【００４０】
各種プログラムや各種データは、他の記憶装置に記憶されていてもよく、ＣＤ−ＲＯＭ等の記録媒体に記録されていてもよい。また、各種プログラムや各種データは、通信を介して取得されてもよい。
【００４１】
Ｉ／Ｏ３０Ｅには、外部装置と通信を行うためのインターフェースである通信部３２、及び外部記憶装置である記憶部３４が接続されている。情報処理部３０は、各部との間で情報の授受を行って、各部を制御する。
【００４２】
例えば、後述する「仕訳後登録処理」を実行するためのプログラムは、ＲＯＭ３０Ｂ、メモリ３０Ｄ、及び記憶部３４のいずれかの記憶装置に記憶されていてもよい。
【００４３】
（証憑登録の全体的な処理）
次に、証憑登録の全体的な処理の手順について説明する。
図４は証憑登録の全体的な処理の手順の一例を示すシーケンス図である。図４に示すように、まず、ステップ１００で、利用者が仕訳後登録アプリを起動し、端末装置１４の表示部にログイン画面を表示して、認証情報の入力を受け付ける。利用者は、ログイン画面を操作して認証情報を入力する。認証情報は、利用者ＩＤを含む。次に、ステップ１０２で、利用者により入力された認証情報が、登録サーバ１２に送信される。詳細な説明は省略するが、登録サーバ１２はログイン認証を行い、認証が成功した場合に次のステップ１０４に進む。
【００４４】
次に、ステップ１０４で、登録サーバ１２は、端末装置１４に読取画像情報の送信を要求する。利用者は、端末装置１４を操作して、読取装置１５により取得された読取画像情報を、登録サーバ１２に送信する。次に、ステップ１０６で、端末装置１４は、読取装置１５から読取画像情報を取得して、読取画像情報を登録サーバ１２に送信する。なお、読取画像情報は、読取装置１５から登録サーバ１２に直接送信されてもよい。
【００４５】
次に、ステップ１０８で、登録サーバ１２は、読取画像から複数の証憑各々の証憑画像を切り出し、各証憑の証憑画像情報を取得する。次に、ステップ１１０で、登録サーバ１２は、複数の証憑画像の各々について、ＯＣＲ等により文字認識を行い、文字認識により得られた文字列から仕訳要素を表す仕訳要素情報を抽出する。ここで「仕訳要素」とは、証憑の仕訳に用いる要素であって、日時、場所、及び取引内容の少なくとも１つの要素である。
【００４６】
ここで、証憑画像の切り出しから仕訳要素情報の抽出までの工程を、図５から図７までを参照して説明する。図５は証憑の読取画像の一例を示す図である。図６は読取画像から切り出された証憑画像の一例を示す図である。図７は証憑画像から抽出された仕訳要素情報の一例を示す図表である。
【００４７】
図５に示すように、読取装置１５により取得された読取画像は、複数の証憑画像を含んでいる。図６に示すように、読取画像から複数の証憑各々の証憑画像を切り出し、各証憑に識別情報を付与する。図示した例では、複数の証憑の各々にＲ１からＲ６までの証憑ＩＤが付与されている。各証憑画像は、文字認識が容易になるように傾きが調節される。各証憑画像からは、文字認識により仕訳要素情報が抽出される。
【００４８】
図７に示すように、証憑画像情報と仕訳要素情報とは、証憑ＩＤと関連付けて記憶される。日時を表す仕訳要素としては、2018/03/12等の「日付」、月曜日等の「曜日」、11:10等の「時間」が例示されている。場所を表す仕訳要素としては、大阪、東京、神奈川等の地名が例示されている。取引内容を表す仕訳要素としては、Ａタクシー等の「取引先」、雑誌等の「商品名」、運賃等の「役務名」、910円等の「金額」が例示されている。
【００４９】
図４の説明に戻る。次に、ステップ１１２で、登録サーバ１２は、利用者の勤怠情報を勤怠管理システム１８に要求する。次に、ステップ１１４で、勤怠管理システム１８は、利用者ＩＤに関連付けられた勤怠情報を登録サーバ１２に送信する。また、ステップ１１６で、登録サーバ１２は、利用者の履歴情報を経費申請システム１６に要求する。次に、ステップ１１８で、経費申請システム１６は、利用者ＩＤに関連付けられた履歴情報を登録サーバ１２に送信する。
【００５０】
これら勤怠情報及び履歴情報の少なくとも一方から「予め定めた仕訳要素」が取得される。「予め定めた仕訳要素」は、利用者の業務予定に関する要素、及び利用者の過去の申請に関する要素の少なくとも一方である。利用者の業務予定に関する要素としては、勤務時間（例えば、9:00〜17:00の期間）、休み時間（例えば、12:00〜13:00の期間）、休みの日（例えば、日曜日）等の勤務時間、出張、外出、在宅等の勤務場所が挙げられる。利用者の過去の経費の申請に関する要素としては、出張時の宿泊費申請、外出時の交通費申請等の過去の申請が挙げられる。
【００５１】
次に、ステップ１２０で、登録サーバ１２は「仕訳処理」を実行する。「仕訳処理」では、登録サーバ１２は、複数の証憑のうち上記「予め定めた仕訳要素」を有する証憑を「業務に関係する証憑」と認定する。これにより、複数の証憑は、「業務に関係する証憑」と「業務とは無関係な証憑」とに自動的に仕訳けられる。なお、「仕訳処理」の詳細については後述する。
【００５２】
次に、ステップ１２２で、登録サーバ１２は「グループ化処理」を実行する。「グループ化処理」では、登録サーバ１２は、「業務に関係する証憑」を更に複数のグループに分割する。複数のグループの各々は、証憑画像情報を登録するときの処理単位である。なお、「グループ化処理」の詳細については後述する。
【００５３】
次に、ステップ１２３で、登録サーバ１２は、仕訳結果とグループ分け結果と証憑画像情報とに基づいて選択画面を生成する。選択画面は、証憑画像情報の登録対象となる証憑を利用者が選択する画面である。選択画面は「第１の画面」の一例である。本実施の形態では、選択画面はグループ毎に表示され、証憑画像情報の登録の要求もグループ毎に行うことができる。グループ単位で処理する場合は、全体を処理する場合に比べて、簡単に処理が行える。したがって、以下の手順はグループ毎に行われる。
【００５４】
次に、ステップ１２４で、登録サーバ１２は、端末装置１４に選択画面の表示を指示する。次に、ステップ１２６で、端末装置１４は、表示部に選択画面を表示して、利用者の選択を受け付ける。選択画面では、仕訳処理で「業務に関係する証憑」に仕訳された証憑は、選択可能に表示される。一方、仕訳処理で「業務とは無関係な証憑」に仕訳された証憑は、選択できないように表示される。利用者は、選択画面を操作して証憑を選択する。
【００５５】
次に、ステップ１２８で、利用者による選択結果が、登録サーバ１２に通知される。次に、ステップ１３０で、登録サーバ１２は、登録確認画面を生成し、登録確認画面の表示を指示する。登録確認画面は、利用者が登録対象の証憑を確認する画面である。登録確認画面は「第２の画面」の一例である。登録確認画面は、利用者の選択結果に応じて生成される。登録確認画面には、登録対象となる証憑の画像と仕訳要素情報とが表示される。
【００５６】
次に、ステップ１３２で、端末装置１４は、表示部に登録確認画面を表示して、利用者の登録要求を受け付ける。次に、ステップ１３４で、登録要求が登録サーバ１２に送信される。続くステップ１３６で、登録サーバ１２は、経費申請システム１６に対し証憑画像の登録を要求する。
【００５７】
（登録サーバの機能）
次に、登録サーバの機能について説明する。
図８は登録サーバの機能ブロック図である。図８に示すように、登録サーバ１２は、読取画像取得部４０、認証処理部４２、証憑画像切り出し部４４、仕訳要素抽出部４６、記憶部４８、仕訳処理部５０、グループ化処理部５２、選択画面生成部５３、登録処理部５４、所定要素取得部５６、及び表示制御部５８を備えている。
【００５８】
認証処理部４２は、利用者により入力された認証情報に基づいてログイン認証を行う。利用者ＩＤは記憶部４８に記憶される。
【００５９】
読取画像取得部４０は、読取装置１５により取得された読取画像情報を、端末装置１４または読取装置１５から取得する。読取画像情報は、利用者ＩＤ及び証憑ＩＤと関連付けて記憶部４８に記憶される。
【００６０】
証憑画像切り出し部４４は、読取画像から複数の証憑各々の証憑画像を切り出し、各証憑の証憑画像情報を取得する。各証憑の証憑画像情報は、利用者ＩＤ及び証憑ＩＤと関連付けて記憶部４８に記憶される。
【００６１】
仕訳要素抽出部４６は、複数の証憑画像の各々について、文字認識を行い、文字認識により得られた文字列から仕訳要素情報を抽出する。各証憑の仕訳要素情報は、利用者ＩＤ及び証憑ＩＤと関連付けて記憶部４８に記憶される。
【００６２】
所定要素取得部５６は、勤怠情報及び履歴情報の少なくとも一方から上記「予め定めた仕訳要素」を取得する。
【００６３】
仕訳処理部５０は、各証憑画像について、証憑が有する仕訳要素情報と「予め定めた仕訳要素」とを比較する。そして、予め定めた仕訳要素を有する証憑を「業務に関係する証憑」と認定し、予め定めた仕訳要素を有していない証憑を「業務とは無関係な証憑」と認定して、複数の証憑をいずれか一方に仕訳する。仕訳結果は、利用者ＩＤ及び証憑ＩＤと関連付けて記憶部４８に記憶される。
【００６４】
グループ化処理部５２は、仕訳処理部５０により「業務に関係する証憑」に仕訳された複数の証憑を、記憶部４８に記憶された各証憑の仕訳要素情報に基づいて、更に複数のグループに分割する。グループ分けの結果は、利用者ＩＤ及び証憑ＩＤと関連付けて記憶部４８に記憶される。
【００６５】
選択画面生成部５３は、記憶部４８に記憶された、仕訳処理部５０による仕訳結果、グループ化処理部５２によるグループ分けの結果、及び証憑画像に基づいて、利用者に表示する選択画面を生成する。選択画面生成部５３は、選択画面情報を表示制御部５８に出力する。表示制御部５８は、選択画面を表示するように端末装置１４の表示部を制御する。表示制御部５８は、端末装置１４から利用者の選択結果を取得する。
【００６６】
登録処理部５４は、表示制御部５８から取得した利用者の選択結果に応じて、登録確認画面を生成する。登録処理部５４は、登録確認画面情報を表示制御部５８に出力する。表示制御部５８は、登録確認画面を表示するように端末装置１４の表示部を制御する。表示制御部５８は、端末装置１４から利用者の登録要求を取得する。登録処理部５４は、表示制御部５８から取得した利用者の登録要求に応じて、経費申請システム１６に対し証憑画像の登録を要求する。
【００６７】
読取画像取得部４０、証憑画像切り出し部４４、及び仕訳要素抽出部４６が「取得手段」の一例である。所定要素取得部５６及び仕訳処理部５０が「仕訳手段」の一例である。グループ化処理部５２が、「分割手段」の一例である。表示制御部５８が「表示制御手段」の一例である。
【００６８】
（仕訳後登録処理のプログラム）
次に、仕訳後登録処理を実行するためのプログラムについて説明する。
図９は「仕訳後登録処理」の処理の流れの一例を示すフローチャートである。「仕訳後登録処理」は、登録サーバ１２の情報処理部３０のＣＰＵ３０Ａにより実行される。「仕訳後登録処理」の実行は、端末装置１４からログイン要求があると開始される。なお、図４と重複する手順について、図９では異なる符合を付して説明する。
【００６９】
まず、ステップ２００で、利用者により入力された認証情報に基づいてログイン認証を行う。次に、ステップ２０２で、読取画像情報を取得する。次に、ステップ２０４で、読取画像から複数の証憑各々の証憑画像を切り出し、各証憑の証憑画像情報を取得する。次に、ステップ２０６で、複数の証憑画像の各々について、文字認識を行い、文字認識により得られた文字列から仕訳要素情報を抽出する。
【００７０】
次に、ステップ２０８で、複数の証憑を「業務に関係する証憑」と「業務とは無関係な証憑」とに仕訳ける「仕訳処理」を実行する。次に、ステップ２１０で、業務に関係する証憑」に仕訳された複数の証憑を更に複数のグループに分ける「グループ化処理」を実行する。次に、ステップ２１２で、仕訳結果、グループ分けの結果、及び証憑画像に基づいて、選択画面を生成する。最後に、ステップ２１４で、証憑画像の登録要求を行う「登録処理」を実行して、ルーチンを終了する。
【００７１】
ここで、図９のステップ２０８で実行される「仕訳処理」、図９のステップ２１０で実行される「グループ化処理」、図９のステップ２１２で実行される「選択画面生成」、及び図９のステップ２１４で実行される「登録処理」について詳しく説明する
【００７２】
−仕訳処理−
図１０は「仕訳処理」の処理の流れの一例を示すフローチャートである。また、図１１は勤務時間に応じた仕訳例を示す模式図である。図１２は勤務場所に応じた仕訳例を示す模式図である。図１３は過去の申請に応じた仕訳例を示す模式図である。
【００７３】
図１０に示すように、仕訳処理では、まず、ステップ３００で、対象証憑の仕訳要素が示す日時が、勤務時間内か否かを判断する。勤務時間内の場合は、ステップ３０８に進み、ステップ３０８で対象証憑を「業務に関係する証憑」と認定して、ルーチンを終了する。一方、勤務時間外の場合は、ステップ３０２に進む。
【００７４】
図７に示すように、証憑Ｒ１から読み取られた日時は（2018/03/12、月曜日、11:10）、証憑Ｒ２から読み取られた日時は（2018/03/12、月曜日、13:52）、証憑Ｒ３から読み取られた日時は（2018/03/15、木曜日、7:21）、証憑Ｒ４から読み取られた日時は（2018/03/14、水曜日、9:19）、証憑Ｒ５から読み取られた日時は（2018/03/11、日曜日、20:00）、証憑Ｒ６から読み取られた日時は（2018/03/14、水曜日、12:30）である。
【００７５】
図１１に示すように、勤務時間内であることが、予め定めた仕訳要素となる。具体的には、勤務時間9:00〜17:00の間の時間、休憩時間12:00〜13:00以外の時間、及び日曜日等の休日以外の日付が、予め定めた仕訳要素となる。したがって、予め定めた仕訳要素を有する証憑は、証憑Ｒ１、証憑Ｒ２、証憑Ｒ４である。証憑Ｒ１、証憑Ｒ２、証憑Ｒ４は、勤務時間から見ると「業務に関係する証憑」である。証憑Ｒ３、証憑Ｒ５、証憑Ｒ６は、勤務時間から見ると「業務とは無関係な証憑」である。
【００７６】
次に、ステップ３０２で、対象証憑の仕訳要素が示す場所が、予定の勤務場所か否かを判断する。予定の勤務場所の場合は、ステップ３０８に進み、ステップ３０８で対象証憑を「業務に関係する証憑」と認定して、ルーチンを終了する。一方、予定の勤務場所ではない場合は、ステップ３０４に進む。
【００７７】
図７に示すように、証憑Ｒ１から読み取られた日付と場所は（2018/03/12、大阪）、証憑Ｒ２から読み取られた日付と場所は（2018/03/12、大阪）、証憑Ｒ３から読み取られた日付と場所は（2018/03/15、東京）、証憑Ｒ４から読み取られた日付と場所は（2018/03/14、神奈川）、証憑Ｒ５から読み取られた日付と場所は（2018/03/11、大阪）、証憑Ｒ６から読み取られた日付と場所は（2018/03/14、神奈川）である。
【００７８】
図１２に示すように、予定の勤務場所であることが、予め定めた仕訳要素となる。通常は会社が予定の勤務場所であり、在宅勤務の場合は自宅が予定の勤務場所である。また、出張や外出の場合は、目的地が予定の勤務場所である。図示した例では、勤怠情報から2018/3/12は大阪に出張、2018/3/14は神奈川で研修という利用者の業務予定が把握されている。このため、2018/3/12は勤務場所が「大阪」であり、2018/3/14は勤務場所が「神奈川」であることが、予め定めた仕訳要素となる。
【００７９】
したがって、予め定めた仕訳要素を有する証憑は、証憑Ｒ１、証憑Ｒ２、証憑Ｒ４、証憑Ｒ５、証憑Ｒ６である。証憑Ｒ１、証憑Ｒ２、証憑Ｒ４、証憑Ｒ５、証憑Ｒ６は、勤務場所から見ると「業務に関係する証憑」である。証憑Ｒ３は、勤務場所から見ると「業務とは無関係な証憑」である。
【００８０】
次に、ステップ３０４で、対象証憑の仕訳要素が示す取引内容について過去の申請があったか否かを判断する。過去の申請ありの場合は、ステップ３０８に進み、ステップ３０８で対象証憑を「業務に関係する証憑」と認定して、ルーチンを終了する。一方、過去の申請なしの場合は、ステップ３０６に進む。
【００８１】
次に、ステップ３０６で、対象証憑を「業務とは無関係な証憑」と認定して、ルーチンを終了する。  
【００８２】
図７に示すように、証憑Ｒ１から読み取られた取引内容は（Ａタクシー、運賃、910円）、証憑Ｒ２から読み取られた取引内容は（Ｂホテル、宿泊費、5500円）、証憑Ｒ３から読み取られた取引内容は（Ｃ給油所、ハイオク、3834円）、証憑Ｒ４から読み取られた取引内容は（Ｄ給油所、ハイオク、6259円）、証憑Ｒ５から読み取られた取引内容は（Ｅコンビニ、スパゲティ、450円）、証憑Ｒ６から読み取られた取引内容は（Ｆ書店、雑誌、2808円）である。
【００８３】
図１３に示すように、取引内容について過去の申請があることが、予め定めた仕訳要素となる。図示した例では、Ａタクシー、Ｂホテル、Ｄ給油所については過去の申請があり、予め定めた仕訳要素となる。
【００８４】
したがって、予め定めた仕訳要素を有する証憑は、証憑Ｒ１、証憑Ｒ２、証憑Ｒ４である。証憑Ｒ１、証憑Ｒ２、証憑Ｒ４は、過去の申請から見ると「業務に関係する証憑」である。証憑Ｒ３、証憑Ｒ５、証憑Ｒ６は、過去に申請から見ると「業務とは無関係な証憑」である。
【００８５】
図１０に図示した例では、勤務時間、予定の勤務場所、及び過去の申請のいずれか１つについて予め定めた仕訳要素を有していれば、「業務に関係する証憑」と認定される。勤務時間、予定の勤務場所、及び過去の申請のいずれについても予め定めた仕訳要素を有していない場合に、「業務とは無関係は証憑」と認定される。
【００８６】
図１４は仕訳結果の一例を示す模式図である。図１４に示すように、証憑Ｒ１、証憑Ｒ２、証憑Ｒ４、証憑Ｒ５、証憑Ｒ６は「業務に関係する証憑」、証憑Ｒ３は「業務とは無関係な証憑」という仕訳結果が得られる。
【００８７】
−グループ化処理−
図１５は「グループ化処理」の処理の流れの一例を示すフローチャートである。
図１５に示すように、グループ化処理では、まず、ステップ４００で、「業務に関係する証憑」について、複数の仕訳要素情報を有する仕訳要素を抽出する。
【００８８】
仕訳要素が「場所」の場合は、大阪、神奈川と２種類の仕訳要素情報を有する。また、例えば、仕訳要素が「日付」の場合は、3/11、3/12、3/14と３種類の仕訳要素情報を有する。また、例えば、仕訳要素が「金額」「取引先」の場合は、内容が証憑毎に異なり５種類の仕訳要素情報を有する。
【００８９】
次に、ステップ４０２で、複数のグループに分かれるように仕訳要素を特定する。グループ化処理で使用する「仕訳要素」は、利用者がグループ分けの度に決めてもよく、予め定めておいてもよく、自動で特定してもよい。また、場所と日付等、複数の仕訳要素を組み合わせて用いてもよい。
【００９０】
自動で仕訳要素を特定する場合は、例えば、グループ分けで生成するグループの個数が最小となる仕訳要素としてもよい。図７に示す例では、仕訳要素を「場所」にすれば、大阪、神奈川と２つのグループに分かれ、グループの個数が最小となる。
【００９１】
また、例えば、仕訳要素情報の個数が予め定めた閾値以上（例えば、３つ以上）のグループを生成するように、仕訳要素を特定してもよい。図７に示す例では、仕訳要素を「場所」にすれば、仕訳要素情報の個数は大阪３つ、神奈川２つとなり、仕訳要素情報が３つ以上のグループが生成される。
【００９２】
次に、ステップ４０４で、特定した仕訳要素でグループ分けを行って、ルーチンを終了する。
【００９３】
第１の実施の形態では、グループ分けで生成するグループの個数が最小となるように、仕訳要素が特定される。業務に関係する証憑が、最適なグループに分けられる。
【００９４】
−選択画面生成−
図１６及び図１７は、第１の実施の形態に係る選択画面の一例を示す模式図である。
例えば、図１２、図１４に図示したように、仕訳要素を「場所」にすれば、「業務に関係する証憑」は、場所が「大阪」のグループ１と、場所が「神奈川」のグループ２とに分けられる。「大阪出張」や「神奈川研修」等のキーワードが、各グループのヘッダになる。
【００９５】
選択画面はグループ毎に生成され、表示される。例えば、まずグループ１について、図１６に図示する選択画面６０を表示させる。選択画面６０には、画面をスクロールさせるバー６１、グループ１を選択する選択部６２、グループ２を選択する選択部６４、業務の領域６６、及び「次へ」進むことを指示するボタン６８が表示されている。
【００９６】
グループ１に属する「業務に関係する証憑」の画像は、業務の領域６６に表示される。一方、「業務とは無関係な証憑」の画像は、業務の領域６６の外側にある業務外の領域に表示される。図示した例では、大阪出張に関連する証憑Ｒ１、証憑Ｒ２、証憑Ｒ５の画像は、業務の領域６６に表示されている。業務の領域６６は「第１の領域」の一例であり、業務外の領域は「第２の領域」の一例である。
【００９７】
業務の領域６６に表示される各証憑の画像には、選択部６９が設けられており、選択可能とされている。一方、業務外の領域に表示される証憑の画像には、選択部６９が設けられておらず、選択不能とされている。図示した例では、証憑Ｒ１、証憑Ｒ２、証憑Ｒ５の画像は選択可能であるが、証憑Ｒ３の画像は選択不能である。
【００９８】
選択部６２、選択部６４、及び選択部６９は、例えば、チェックボックス等である。選択部６２及び選択部６４のいずれかにチェックを入れると、対応するグループが選択される。選択部６２でグループ１を選択して、選択部６９にチェックを入れると、対応する証憑の画像が選択される。選択部６９には、デフォルトでチェックが入れられていてもよい。登録したい証憑の画像を選択して「次へ」のボタン６８を押すと、グループ１の証憑の画像の選択が完了する。
【００９９】
ここで、選択された証憑の画像だけが「登録対象」となり、選択されていない証憑の画像は「登録対象」とならない。例えば、業務とは無関係な証憑の画像が、業務の領域６６に表示されていたとしても、ここで選択しなければ登録対象とならない。
【０１００】
同様に、次にグループ２について、図１７に図示する選択画面を表示させる。選択画面６０Ａには、画面をスクロールさせるバー６１Ａ、グループ１を選択する選択部６２、グループ２を選択する選択部６４、業務の領域６６Ａ、及び「次へ」進むことを指示するボタン６８Ａが表示されている。
【０１０１】
グループ２に属する「業務に関係する証憑」の画像は、業務の領域６６Ａに表示される。業務の領域６６Ａに表示される各証憑の画像には、選択部６９Ａが設けられており、選択可能とされている。図示した例では、神奈川研修に関連する証憑Ｒ４、証憑Ｒ６の画像は、「業務に関係する証憑」の画像として、業務の領域６６Ａに表示されている。
【０１０２】
選択部６４でグループ２を選択して、選択部６９Ａにチェックを入れると、対応する証憑の画像が選択される。登録したい証憑の画像を選択して「次へ」のボタン６８Ａを押すと、グループ２の証憑の画像の選択が完了する。
【０１０３】
−登録処理−
図１８は「登録処理」の処理の流れの一例を示すフローチャートである。図１９は登録確認画面の一例を示す模式図である。
【０１０４】
図１８に示すように、登録処理では、まず、ステップ５００で、利用者の選択結果を取得する。次に、ステップ５０２で、利用者の選択結果に応じて、登録確認画面を生成して、登録確認画面の表示を指示する。次に、ステップ５０４では、利用者の登録要求を受け付ける。続くステップ５０６で、経費申請システムに対し証憑画像の登録を要求して、ルーチンを終了する。
【０１０５】
図１９に示すように、登録確認画面８０には、選択画面で利用者に選択され登録対象となった証憑の画像８４が表示される（選択された領収書を表示）。また、登録確認画面８０には、登録対象の証憑の画像８４の外に、画面をスクロールさせるバー８１、日付、場所等の仕訳要素情報８２、業務名等の勤怠情報８３、「中止」を指示するボタン８６、及び「登録」を指示するボタン８８が表示される。
【０１０６】
図１９に示す例は、図１６に示すグループ１についての選択画面で、業務の枠内に表示された証憑の画像がすべて選択された場合である。図示した例では、証憑の画像８４として、証憑Ｒ１、証憑Ｒ２、証憑Ｒ５の画像が表示されている。また、仕訳要素情報８２として、2018/03/12等の日付、交通費等の経費項目、新横浜〜新大阪等の場所が表示されている。勤怠情報８３として、大阪出張等の業務名が表示されている。利用者は、仕訳要素情報８２や勤怠情報８３を修正してもよい。
【０１０７】
なお、勤怠情報８３は、勤怠管理システム１８から取得される。日付、場所に関する仕訳要素情報８２は、読取画像（図５参照）から取得される。交通費、宿泊費、材料費等の経費項目は、同様の過去の申請があれば、履歴情報から取得する。また、経費項目は、利用者の勤怠情報及び履歴情報から推定してもよい。利用者は、推定された経費項目を修正してもよい。
【０１０８】
「登録」を指示するボタン８８が押されると、登録サーバ１２は、登録対象の証憑の画像８４について、利用者の登録要求を受け付ける。本実施の形態では、グループ毎に選択画面が表示されるので、証憑の画像の登録がグループ毎に行われる。なお、登録確認画面では、仕訳結果は訂正できない。仕訳結果を訂正する場合は、「中止」を指示するボタン８６を押して登録を中止し、選択画面に戻って証憑の画像の選択をやりなおす。
【０１０９】
＜第２の実施の形態＞
第１の実施の形態では、自動で仕訳要素を特定する場合について説明したが、第２の実施の形態では、予め定めた複数の仕訳要素でグループ分けを行い、選択画面は仕訳要素毎に生成、表示する。また、１つの選択画面には、複数のグループに属する証憑の画像をまとめて表示する。図示した例では、日付、場所、過去の申請の有無の３つの仕訳要素の各々についてグループ分けを行う。それ以外の構成は、第１の実施の形態と同様の構成であるため、同じ構成部分には同じ符号を付して説明を省略する。
【０１１０】
（選択画面）
図２０は第２の実施の形態に係る選択画面の一例を示す模式図である。選択画面９０には、画面をスクロールさせるバー９１、仕訳要素（日付）を選択する選択部９２、仕訳要素（場所）を選択する選択部９３、仕訳要素（過去の申請）を選択する選択部９４、業務の領域９５、及び「次へ」進むことを指示するボタン９６が表示されている。
【０１１１】
図２０に示す選択画面９０では、仕訳要素（日付）を選択する選択部９２が選択されている。仕訳要素が「日付」の場合、「業務に関係する証憑」は、日付が「3/11」のグループ１と、日付が「3/12」のグループ２と、日付が「3/14」のグループ３とに分かれる。「3/11」や」や「3/12」や「3/14」等のキーワードが、各グループのヘッダになる。
【０１１２】
グループ１、グループ２及びグループ３に属する「業務に関係する証憑」の画像は、まとめて業務の領域９５に表示される。また、証憑の画像は、グループに分けて表示される。一方、「業務とは無関係な証憑」の画像は、業務の領域９５の外側にある業務外の領域に表示される。図示した例では、グループ１（日付が3/11）に属する証憑Ｒ５の画像、グループ２（日付が3/12）に属する証憑Ｒ１、Ｒ２の画像、グループ３（日付が3/14）に属する証憑Ｒ４、Ｒ６の画像は、業務の領域９５に表示されている。
【０１１３】
業務の領域９５に表示される各証憑の画像には、選択部９８が設けられており、画像毎に選択可能とされている。また、各グループに対しても選択部９７が設けられており、グループ毎に選択可能とされている。一方、業務外の領域に表示される証憑の画像には、選択部９８が設けられておらず、選択不能とされている。図示した例では、証憑Ｒ１、証憑Ｒ２、証憑４、証憑Ｒ５、証憑６の画像は選択可能であるが、証憑Ｒ３の画像は選択不能である。
【０１１４】
選択部９２、選択部９３、選択部９４、選択部９７、及び選択部９８は、例えば、チェックボックス等である。選択部９２、選択部９３、及び選択部９４のいずれかにチェックを入れると、対応する仕訳要素によるグループ分けが選択される。選択部９７にチェックを入れると、対応するグループに属する証憑の画像が選択される。選択部９８にチェックを入れると、対応する証憑の画像が選択される。選択部９７及び選択部９８には、デフォルトでチェックが入れられていてもよい。
【０１１５】
登録したい証憑の画像を選択して「次へ」のボタン９６を押すと、証憑の画像の選択が完了する。選択されていない証憑の画像が「登録対象」とならない点は、図１６に示す例と同様である。
【０１１６】
（仕訳結果の訂正）
次に、仕訳結果の訂正方法について説明する。
図２１及び図２２は選択画面での仕訳結果の訂正例を示す模式図である。図２１に示す選択画面は、図２０に示す選択画面と同様であるため、同じ符号を付して説明を省略する。図示した例では、業務外の領域に表示されている証憑Ｒ３の画像を、業務の領域９５に移動させる。証憑Ｒ３の画像を業務の領域９５に移動させることで、移動された画像に係る証憑Ｒ３の仕訳結果が、業務とは無関係な証憑から「業務に関係する証憑」へと変更される。
【０１１７】
その結果、図２２に示すように、証憑Ｒ３の画像は、業務の領域９５に表示されるようになる。証憑Ｒ３の画像に対応する選択部９８が追加され、証憑Ｒ３の画像は選択部９８により選択可能となる。証憑Ｒ３の日付は「3/15」であるため、日付が「3/15」のグループ４も追加される。グループ４に対応する選択部９７が追加され、グループ４に属する証憑Ｒ３の画像も選択可能となる。
【０１１８】
（グループ分けの選択）
次に、どの仕訳要素でグループ分けするかの選択について説明する。
図２０には仕訳要素が「日付」の場合を例示したが、仕訳要素が「場所」の場合の選択画面を図２３に示し、仕訳要素が「過去の申請（の有無）」の場合の選択画面を図２４に示す。また、仕訳要素が「日付」及び「場所」の場合の選択画面を図２５に示す。なお、図２３、図２４、図２５に示す選択画面は、図２０に示す選択画面と同様であるため、同じ符号を付して説明を省略する。
【０１１９】
上記の通り、勤務時間、予定の勤務場所、及び過去の申請のいずれか１つについて予め定めた仕訳要素を有していれば、「業務に関係する証憑」と認定される。勤務時間、予定の勤務場所、及び過去の申請のいずれについても予め定めた仕訳要素を有していない場合に、「業務とは無関係は証憑」と認定される。仕訳結果は、図２０から図２５まで共通である（図１４参照）。
【０１２０】
図２３に示す選択画面９０Ａでは、仕訳要素（場所）を選択する選択部９３が選択されている。仕訳要素が「場所」の場合は、「業務に関係する証憑」は、場所が「大阪」のグループ１と、場所が「神奈川」のグループ２とに分かれる。グループ毎に選択部９７Ａが設けられ、選択部９７Ａにチェックを入れると、対応するグループに属する証憑の画像が選択される。
【０１２１】
図２４に示す選択画面９０Ｂでは、仕訳要素（過去の申請）を選択する選択部９４が選択されている。仕訳要素が「過去の申請」の場合は、「業務に関係する証憑」は、「過去の申請あり」のグループ１と、「過去の申請なし」のグループ２とに分かれる。グループ毎に選択部９７Ｂが設けられ、選択部９７Ｂにチェックを入れると、対応するグループに属する証憑の画像が選択される。
【０１２２】
図２５に示す選択画面９０Ｃでは、仕訳要素（日付）を選択する選択部９２と、仕訳要素（場所）を選択する選択部９３とが選択されている。仕訳要素が「日付」及び「場所」の場合は、「業務に関係する証憑」は、日付が「3/11」で場所が「大阪」のグループ１と、日付が「3/12」で場所が「大阪」のグループ２と、日付が「3/14」で場所が「神奈川」のグループ３とに分かれる。
【０１２３】
グループ毎に選択部９７Ｃが設けられ、選択部９７Ｃにチェックを入れると、対応するグループに属する証憑の画像が選択される。例えば、3/12の大阪出張の費用だけを精算したい場合には、日付が「3/12」で場所が「大阪」のグループ２を選択すればよい。利用者は、処理しやすい単位となるようにグループ分けに用いる仕訳要素を選択する。
【０１２４】
＜変形例＞
なお、上記実施の形態で説明した情報処理装置、プログラム、及び情報処理システムの構成は一例であり、本発明の主旨を逸脱しない範囲内においてその構成を変更してもよいことは言うまでもない。
【０１２５】
図１０に図示した例では、勤務時間、予定の勤務場所、及び過去の申請のいずれか１つについて予め定めた仕訳要素を有していれば、「業務に関係する証憑」と認定したが、予め定めた仕訳要素は、この例に限らず適宜定めてもよい。予め定めた仕訳要素は、勤怠情報や履歴情報から取得される必要もない。
【０１２６】
例えば、毎週、毎月等、定期的に申請される通勤費の場合は、「業務に関係する証憑」と認定してもよい。例えば、証憑Ｒ３のＣ給油所でのガソリン代3834円は、前回と同様の額であれば経費（業務に関係する証憑）と認めてもよい。また、例えば、購入した商品が文房具等の場合は、「業務に関係する証憑」と認定してもよい。
【０１２７】
また、上記実施の形態では、業務とは無関係な証憑の画像も選択画面に表示される例について説明したが、業務とは無関係な証憑の画像は選択画面に表示されないようにしてもよい。しかしながら、業務とは無関係な証憑の画像を表示しなければ、仕訳結果の訂正が行えない。また、上記実施の形態では、業務とは無関係な証憑の画像にはチェックボックスを設けないことで選択不能としているが、薄く表示するグレイアウト等、操作を受け付けない状態で表示してもよい。
【符号の説明】
【０１２８】
１０   情報処理システム
１２   登録サーバ
１４   端末装置
１５   読取装置
１６   経費申請システム
１８   勤怠管理システム
１９   通信回線
２０   情報処理部
２２   操作部
２４   表示部
２６   通信部
２８   記憶部
３０   情報処理部
３２   通信部
３４   記憶部
４０   読取画像取得部
４２   認証処理部
４４   証憑画像切り出し部
４６   仕訳要素抽出部
４８   記憶部
５０   仕訳処理部
５２   グループ化処理部
５４   登録処理部
５６   比較情報取得部
５８   表示制御部
Ｒ１〜Ｒ６    証憑
【図１】
2020017140.tif 000003
【図２】
2020017140.tif 000004
【図３】
2020017140.tif 000005
【図４】
2020017140.tif 000006
【図５】
2020017140.tif 000007
【図６】
2020017140.tif 000008
【図７】
2020017140.tif 000009
【図８】
2020017140.tif 000010
【図９】
2020017140.tif 000011
【図１０】
2020017140.tif 000012
【図１１】
2020017140.tif 000013
【図１２】
2020017140.tif 000014
【図１３】
2020017140.tif 000015
【図１４】
2020017140.tif 000016
【図１５】
2020017140.tif 000017
【図１６】
2020017140.tif 000018
【図１７】
2020017140.tif 000019
【図１８】
2020017140.tif 000020
【図１９】
2020017140.tif 000021
【図２０】
2020017140.tif 000022
【図２１】
2020017140.tif 000023
【図２２】
2020017140.tif 000024
【図２３】
2020017140.tif 000025
【図２４】
2020017140.tif 000026
【図２５】
2020017140.tif 000027